【手続補正書】
【提出日】平成25年6月28日(2013.6.28)
【手続補正１】
【補正対象書類名】特許請求の範囲
【補正対象項目名】全文
【補正方法】変更
【補正の内容】
【特許請求の範囲】
【請求項１】
容器をブロー成形するためのプリフォーム・アセンブリであって、
少なくとも第１のプリフォームと第２のプリフォームとを備え、
前記プリフォームを容器にブロー成形する前に前記第１のプリフォームは前記第２のプリフォームの内部に位置し、
各プリフォームは、肉厚が約８ミリメートル（ｍｍ）、好ましくは約６ｍｍよりも小さい、本体形成部分を有する
ことを特徴とするプリフォーム・アセンブリ。
【請求項２】
請求項１に記載のプリフォーム・アセンブリであって、
前記第１のプリフォームの本体形成部分の肉厚は前記第２のプリフォームの本体形成部分の肉厚よりも小さい
ことを特徴とするプリフォーム・アセンブリ。
【請求項３】
請求項１または２に記載のプリフォーム・アセンブリであって、
少なくとも前記第１のプリフォームは前記本体部分に結合した首部分を有し、
前記首部分は２５ｍｍより大きい内径を有するか、または４９０ｍｍ２より大きい内部断面積、好ましくは、４８ｍｍより大きい内径または９８０ｍｍ２より大きい、さらに好ましくは１９６０ｍｍ２より大きい内部断面積を有する
ことを特徴とするプリフォーム・アセンブリ。
【請求項４】
請求項１〜３のいずれか一項に記載のプリフォーム・アセンブリであって、
前記第１のプリフォームは前記第２のプリフォームの首部分内に嵌合した首部分を有し、
好ましくは、前記第２のプリフォームの首部分の少なくとも一部分は前記第１のプリフォームの首部分に圧着されている
ことを特徴とするプリフォーム・アセンブリ。
【請求項５】
請求項１〜４のいずれか一項に記載のプリフォーム・アセンブリであって、
前記第１および第２のプリフォームの一方、好ましくは前記第１のプリフォームのみがＯ２スカベンジャーを含み、および／または
前記第１および第２のプリフォームの一方が着色剤を含み、
好ましくは前記２つのプリフォームの一方は前記スカベンジャーを含み、他方は着色剤を含む
ことを特徴とするプリフォーム・アセンブリ。
【請求項６】
請求項１〜５のいずれか一項に記載のプリフォーム・アセンブリであって、
前記第１および第２のプリフォームの本体形成部分の間に空間が設けられ、
前記空間は好ましくは環境に対して閉鎖されまたは閉鎖可能である
ことを特徴とするプリフォーム・アセンブリ。
【請求項７】
請求項１〜６のいずれか一項に記載のプリフォーム・アセンブリであって、
少なくとも前記第２のプリフォーム、好ましくは前記第１のプリフォームおよび第２のプリフォームは、好ましくは抗結晶化添加物を含まない、標準ＰＥＴ製である
ことを特徴とするプリフォーム・アセンブリ。
【請求項８】
プリフォーム・アセンブリからブロー成形された容器であって、
第１のプリフォームを第２のプリフォーム内に備え、
前記容器の第１の層は前記第１のプリフォームから形成され、
前記第１の層の外側の第２の層は前記第２のプリフォームから形成され、
前記第１のプリフォームのプラスチック材料は、前記第１の層を形成するために、第２の層を形成するための前記第２のプリフォームのプラスチック材料よりもさらに延伸されている
ことを特徴とする容器。
【請求項９】
請求項８に記載の容器であって、
前記容器は３リットル、好ましくは５リットル、さらに好ましくは１０リットルより多い、特に約１０〜３０リットルの内部体積を有する
ことを特徴とする容器。
【請求項１０】
請求項８または９に記載の容器であって、
前記容器は第１のプリフォームの首部分と第２のプリフォームの首部分とを備える首を備え、
前記第２のプリフォームの首部分は好ましくは前記第１のプリフォームの首部分内にあり、
前記第２のプリフォームの首部分は、好ましくは、前記第１のプリフォームの首部分に圧着され、および／または
変形可能な内側容器が前記容器の内側空間内に、前記第１の層に包まれて設けられている
ことを特徴とする容器。
【請求項１１】
請求項８〜１０のいずれか一項に記載の容器であって、
前記容器は、内壁部分と外壁部分とを有する本体部分を有し、
前記内壁部分と前記外壁部分の間に、環境に対して閉鎖されたまたは閉鎖可能な空間すなわち隙間が設けられ、
前記隙間は、好ましくは、ガスのような流体、さらに好ましくは圧縮流体を充填されている
ことを特徴とする容器。
【請求項１２】
請求項８〜１１のいずれか一項に記載の容器、または請求項１〜７のいずれか一項に記載のプリフォーム・アセンブリから製造される容器であって、
内部断面積が約２５ｍｍより大きい、好ましくは約４０ｍｍより大きい首部分が設けられている
ことを特徴とする容器。
【請求項１３】
容器をブロー成形するためのプリフォーム・アセンブリを形成する方法であって、
第１のプリフォームを射出成形し、かつ第２のプリフォームを射出成形し、ともに肉厚を約８ｍｍより小さく、好ましくは約６ｍｍより小さくし、
前記第１のプリフォームを前記第２のプリフォーム内に挿入し、および／または前記第２のプリフォームを前記第１のプリフォームを覆うように設ける
ことを特徴とする方法。
【請求項１４】
請求項１３に記載の方法であって、
−  前記第１および前記第２のプリフォームを射出装置内で射出成形し、前記射出成形装置内で前記第１のプリフォームを前記第２のプリフォーム内に挿入する、
または
−  前記第１および前記第２のプリフォームを射出装置内で射出成形し、前記第２のプリフォームを前記射出成形装置内で前記第１のプリフォームを覆うように設ける、
または
−前記第１のプリフォームを前記第２のプリフォーム内で射出成形する、
または
−前記第２のプリフォームを前記第１のプリフォームを覆うように射出成形する
ことを特徴とする方法。
【請求項１５】
プリフォーム・アセンブリを提供する装置であって、
第１のプリフォームを形成するための少なくとも１つの第１のモールド・キャビティと、
第２のプリフォームを形成するための少なくとも１つの第２のモールド・キャビティとを備え、
さらに、第１のプリフォームを第２のプリフォーム内に、および／または第２のプリフォームを第１のプリフォームを覆うように移動するための少なくとも１つの移送装置を備え、
好ましくは、前記装置は前記プリフォームを少なくとも部分的に冷却し、好ましくは前記第２のプリフォームが少なくとも部分的に前記第１のプリフォーム上に圧着されるようにすることを可能にするための冷却室を備える
ことを特徴とする装置。
【請求項１６】
請求項１〜７のいずれか一項に記載のプリフォーム・アセンブリであって、
前記首部分の内側または外側に、１つ以上の開口部が設けられている
ことを特徴とするプリフォーム・アセンブリ。
【請求項１７】
請求項８〜１２のいずれか一項に記載の容器であって、
前記首部分の内側または外側に、１つ以上の開口部が設けられている
ことを特徴とする容器。
【手続補正２】
【補正対象書類名】明細書
【補正対象項目名】００４６
【補正方法】変更
【補正の内容】
【００４６】
上に示した実施の形態の任意の１つによるプリフォーム・アセンブリ１を、図４または５に概略を示すように、内部体積Ｖが３リットルよりも大きい、特に５リットルよりも大きい、例えば内部体積が８リットル〜４０リットルの内部体積のプラスチック容器２０をブロー成形するための形状および寸法にすることができる。例としては、内部体積が約１０リットル、２０リットルもしくは３０リットル、例えば約１７リットルの実質的にボトルまたは樽形状を有する容器２０を挙げることができる。プリフォーム・アセンブリは、実質的に円形の場合、断面の大きさが約２５ｍｍ以上、好ましくは約４９ｍｍ以上、または約４９０ｍｍ２以上、好ましくは約１１８０ｍｍ２以上の等価断面積の内部開口部２１を有する首領域を有しているのが好ましい。一実施の形態では、断面の大きさＤは約４９．２ｍｍであってもよい。断面の大きさＤはプリフォームの縦軸Ｌに垂直に測定され、関連する首部分７または９あるいは首部分４の自由端２２、２５近傍で測定されるものと了解されるべきである。好ましい一実施の形態では、開口部２１は縦軸に垂直な、ほぼ円形断面を有していてもよく、この断面は、直径により定義された上記断面の大きさを持っていてもよい。断面の大きさは本体形成部８の方向にわずかに減少していてもよい。第１のプリフォーム２の壁部分は、例えば、本体５側に、断面の大きさＤよりも数ミリメートル小さい直径Ｄｗを持つ円筒状の内表面を有していてもよい。直径Ｄｗは例えば０％〜５％少なくてもよい。一実施の形態では、開口部２１の断面の大きさは約４９ｍｍであってもよく、第１のプリフォーム２の本体形成部分における直径Ｄｗは約４８ｍｍであってもよい。明らかに、他のサイズ、形状および大きさも可能である。首部分を比較的に大きな断面積とする利点としては、内部体積Ｖが約１０リットル以上であるような比較的に大きな容積の容器に対する本体の好適な延伸比を挙げられる。首部分を比較的に大きくすると、また、標準的なタッピング・ロッドまたは少なくともタッピング・ロッドまたはバルブ・アセンブリがサンケイ（Ｓａｎｋｅｙ）２または３ラグまたは平頭タッピング・ヘッドのような標準的タッピング・ヘッドの結合を可能とするための空間を提供することができる。
【手続補正３】
【補正対象書類名】明細書
【補正対象項目名】００６３
【補正方法】変更
【補正の内容】
【００６３】
本明細書の実施の形態では、第１の内側プリフォーム２の首部分７は第２のプリフォーム３の首部分９内に延在していてもよいが、外側の第２のプリフォーム３の首部分９の内面の一部分が内側のプリフォーム２の首部分７の上方で自由である場合に限られる。蓋３３はその中で、例えば、首部分内の第２のプリフォーム３の内面に結合されていてもよい。存在する場合は、空間３１は首部分内からアクセス可能である。
【手続補正４】
【補正対象書類名】図面
【補正対象項目名】図１
【補正方法】変更
【補正の内容】
【図１】
2012532046.tif 000001
【手続補正５】
【補正対象書類名】図面
【補正対象項目名】図２
【補正方法】変更
【補正の内容】
【図２】
2012532046.tif 000002
【手続補正６】
【補正対象書類名】図面
【補正対象項目名】図３
【補正方法】変更
【補正の内容】
【図３】
2012532046.tif 000003
【手続補正７】
【補正対象書類名】図面
【補正対象項目名】図５
【補正方法】変更
【補正の内容】
【図５】
2012532046.tif 000004